(57)【要約】【課題】通常のカーテンレールに適用して、カーテンを昇降操作できるカーテン吊り装置を提供する。【解決手段】カーテン２１の上縁部に沿って横方向に相互間隔をおいて複数の吊り具３が取り付けられる。吊り具３ａ、３ｂはカーテンレールに固定である。各吊り具３は環部５ｃを有する。複数の吊り具３の下方に位置して、カーテン２１に上下方向に列をなして複数の挿通リング１０が取り付けられる。吊り紐６の下端が下端の挿通リング１０に係止され挿通リング１０を通して上へ伸び、吊り具３の環部５ｃを通して横方向に伸び、ストッパ８で一端側の固定吊り具３ａに係止される。一端側で吊り紐６を引けばカーテン２１が引き上げられる。吊り紐６上のストッパ８の位置を移動させることでカーテン２１の引き上げ位置を変更する。【選択図】  図１
2004321387.tif 000002
【特許請求の範囲】
【請求項１】
カーテンの上縁部に沿って横方向に相互間隔をおいて取り付けられ、カーテンの横方向両端の一対はカーテンレールに固定され、他はカーテンレールのランナに係止され、それぞれカーテンの一方の面側に起立する環部を有する複数の吊り具と、
これら吊り具のうちの複数の吊り具の下方に位置して、前記カーテンに上下方向に列をなして取り付けられる複数の挿通リングと、
前記各列の下端の挿通リングにそれぞれ一端が係止され、各列の上方の複数の挿通リングを通って上方へ伸び、中間が各列の上方に位置する前記吊り具の環部に挿通されてそれぞれ同一横方向に曲げられ、横方向の他の複数の前記吊り具の環部に挿通され、一端側の前記吊り具の環部に所望位置で係止可能な複数の吊り紐とを具備し、
この吊り紐における前記一端側の吊り具との係止位置を変更してカーテンの下縁部の上下位置を調整できるようにしたことを特徴とするカーテン吊り装置。
【請求項２】
前記吊り紐に、前記一端側の吊り具に対して任意位置で係止するためのストッパが取り付けられていることを特徴とする請求項１に記載のカーテン吊り装置。
【発明の詳細な説明】
【０００１】
【発明の属する技術分野】
この発明は、カーテンレールに吊られたカーテンを上下方向に開閉操作するための簡易なカーテン吊り装置に関する。
【０００２】
【従来の技術】
従来、ローマンシェードと称されるカーテン吊り装置が知られている。このカーテン吊り装置においては、カーテンを吊るレールに、カーテン昇降用の紐体を操作する機構部が組み込まれている（例えば特許文献１）。紐体は、一端がカーテンの下端に係止され、カーテンに沿って上方へ伸び、さらに機構部を介してレールに沿ってカーテンの左右方向一端側へ伸び、別の機構部を介して下方へ垂下している。この垂下した紐体の他端部を引くことによりカーテンを引き上げ、所要位置で止めることができる。
【０００３】
【特許文献１】特開平１０−１８７３７号公報
【０００４】
【発明が解決しようとする課題】
上記従来のカーテン吊り装置におけるレールは、機構部を備えた特殊なものであって、カーテンを左右に移動させる単純なレールに比べるとはるかに高価である。
従って、この発明は、従来の安価な通常のカーテンレールに適用して、カーテンを昇降操作できるようにした簡易なカーテン吊り装置を提供することを課題としている。
【０００５】
【課題を解決するための手段】
本発明においては、上記課題を解決するため、カーテン２１の上縁部に沿って横方向に相互間隔をおいて複数の吊り具３を取り付け、カーテンの横方向両端の一対の吊り具３（３ａ，３ｂ）は、カーテンレールに固定し、他はカーテンレールのランナに係止する。吊り具３は、それぞれカーテンの一方の面側に起立する環部５ｃを有する。これら吊り具３のうちの複数の吊り具の下方に位置して、カーテン２１に上下方向に列をなして複数の挿通リング１０を取り付ける。各列の下端の挿通リング１０にそれぞれ吊り紐６の一端を係止する。吊り紐６は、各列の上方の複数の挿通リング１０を通して上方へ伸ばし、中間を各列の上方に位置する吊り具３の環部５ｃに挿通した後、同一横方向に曲げ、横方向の他の複数の吊り具３の環部５ｃを通し、一端側の固定された吊り具３ａの環部５ｃに対しストッパ８等を用いて所望位置で係止可能にする。この吊り紐６における一端側の吊り具３ａとの係止位置を変更してカーテン２１の下縁部の上下位置を調整できるようにカーテン吊り装置１を構成する。
【０００６】
【発明の実施の形態】
図面を参照して本発明の実施の形態を説明する。図１は本発明に係るカーテン吊り装置の正面図、図２はカーテン吊り装置の一部の斜視図、図３はカーテン吊り装置の一部の正面図、図４はカーテン吊り装置の一部の側面図である。
【０００７】
図１乃至図３において、カーテン吊り装置１は、カーテン２１の上縁部に沿って横方向に縫い付けられる長尺のテープ２と、このテープ２に横方向に相互間隔をおいて取り付けられる弾性合成樹脂製の複数の吊り具３とを具備する。吊り具３のうち、カーテンの横方向両端の一対３ａ、３ｂは図示しないカーテンレールのストッパに固定され、他は図示しないカーテンレールのランナに係止される。両端以外の吊り具３のうち、カーテン２１の左右両端部付近と中間部付近のもの（図において３つ）の下方に位置して、カーテン２１に上下方向に列をなして複数の挿通リング１０が取り付けられる。吊り紐６は、各列の下端の挿通リング１０にそれぞれ一端が係止される。吊り紐６は、各列の上方の挿通リングを通して上方へ伸び、中間が各列の上方に位置する吊り具３の環部５ｃに挿通され、ここで同一横方向（図において左方）に曲げられ左方の他の複数の吊り具３の環部５ｃを通って一端側の固定された吊り具３ａの環部５ｃに至る。まとめられた３本の吊り紐６は、この固定された吊り具３ａに対しストッパ８を用いて所望位置で係止可能である。カーテン２１の下縁には必要に応じてウエイト９が挿入される。
【０００８】
図２乃至図４に示すように、吊り具３は、本体４と、この本体４にラチェット式に移動自在に結合されるフック体５とから成る。フック体５は、図示しないランナの吊り環へ掛け止められる、フック体５は、本体４にラチェット式に係合するラチェット係合部５ａと、ラチェット係合部５ａの前方上縁から立ち上がるフック５ｂと、ラチェット係合部５ａの前面下部に突設された環部５ｃとを具備する。環部５ｃは、その作用のために他の形態を採用しうることが容易に理解される。また、環部５ｃは、本体４又はフック体５の何れかの部位に設けられる。図示しないが、吊り具３は、本体４とフック体５とが一体に構成されるものであってよいし、カーテン２１への装着構造の異なるものであってもよい。
【０００９】
図４に示すように、吊り具本体４は、縦方向に伸びる主杆４ａと、テープ２の重合片２ｂの下縁からテープ基体２ａとの間へ挿入するための下部挿入杆４ｂと、重合片２ｂの上縁からテープ基体２ａとの間へ挿入するための上部挿入杆４ｃとを具備する。
【００１０】
図１乃至図４において、３本の吊り紐６がまとめてストッパ８に挿通される。ストッパ８は、挿通孔８ｃに挿通された吊り紐６を本体８ａと挟持体８ｂとの間でばね力により挟んで吊り紐６に固定するもので、挟持体８ｂをばね力に抗して本体８ａに押し込むことによって吊り紐６に対する固定を解き、所望の固定位置を選択できるようになっている。ストッパ８は、フック３ａの環部５ｃを通過できないので、吊り紐６がここで止められる。
【００１１】
３本の吊り紐６の一端側をまとめてストッパ８と共に引き下ろすと、各吊り紐６が横方向３カ所でそれぞれカーテン２１を折り曲げながらカーテン２１を引き上げる。所望の位置まで上がったら、ストッパ８を移動して吊り紐６上の固定位置を変更する。ストッパ８がフック３ａの環部５ｃで止まって、カーテン２１が吊り止められる。
【００１２】
【発明の効果】
以上のように、本発明においては、通常のカーテンレールを利用して、特別な装置を用いずにローマンシェードの機能を備えた安価なカーテン吊り装置を提供することができるという効果を有する。
【図面の簡単な説明】
【図１】本発明に係るカーテン吊り装置の正面図である。
【図２】カーテン吊り装置の一部の斜視図である。
【図３】カーテン吊り装置の一部の正面図である。
【図４】カーテン吊り装置の一部の側面図である。
【符号の説明】
１    カーテン吊り装置
２    テープ
２ａ  テープ基体
２ｂ  重合片
３    カーテン吊り具
３ａ  固定カーテン吊り具
３ｂ  固定カーテン吊り具
４    本体
４ａ  主杆
４ｂ  下部挿入杆
４ｃ  上部挿入杆
４ｄ  環部
５    フック体
５ａ  係合部
５ｂ  フック
５ｃ  環部
６    吊り紐
８    ストッパ
８ａ  本体
８ｂ  挟持体
８ｃ  挿通孔
９    ウエイト
１０  挿通リング
２１  カーテン
【図１】
2004321387.tif 000003
【図２】
2004321387.tif 000004
【図３】
2004321387.tif 000005
【図４】
2004321387.tif 000006